(57)【要約】【課題】車両の尿素水タンク周りの込み入った状況においても、容易に尿素水を補給でき、補給後は尿素水の飛散を防止することができる尿素水補給容器を提供することを課題とする。【解決手段】車両の排気ガスの処理に還元剤として使用する尿素水を収納して補給するために用いる略偏平直方体の尿素水補給容器１において、前記尿素水の注入出口部と把持部６を備え、前記注入出口部は、尿素水補給容器１の相対向する最大面積面７の長手方向稜線を介してつながる上面２における長手方向一端側の短手方向稜線寄りに片寄った位置に形成され、把持部６は、注入出口部が形成された上面２の長手方向一端側とは異なる側の短手方向稜線を介してつながる側面５の略中央に形成されることを特徴とする。【選択図】図１
2012111495.tif 000002
【特許請求の範囲】
【請求項１】
車両の排気ガス浄化装置に用いる液体の還元剤を収納し、携行できるようにした還元剤補給容器において、
容器本体は略偏平直方体形状に形成され、前記還元剤の注入出口部と把持部とを備え、
前記注入出口部と前記把持部とは、容器本体の相対向する一辺側と他辺側に設けられ、
前記把持部は容器本体を貫通して形成された貫通孔によって容器本体の一辺側の略中央に長手方向に沿って形成され、
前記注入出口部は容器本体の他辺側に該他辺側の長手方向に直交する端面に位置して形成されることを特徴とする還元剤補給容器。
【請求項２】
前記把持部は、内側が中空筒となって還元剤を収納する中空とは隔絶された中空を形成し、当該中空筒の略直線延長上の上面に開口部を備え、前記注入出口部に嵌合して前記還元剤を注出するためのノズルが前記開口部より前記中空筒に収納されることを特徴とする請求項１に記載の還元剤補給容器。
【請求項３】
前記中空筒は、前記ノズルの基端部を受け止める受け部を備えたことを特徴とする請求項２に記載の還元剤補給容器。
【発明の詳細な説明】
【技術分野】
【０００１】
本発明は、ディーゼルエンジンの排気ガス浄化装置に用いる還元剤（尿素水）を収納し、携行できるようにした還元剤補給容器に関するものである。
【背景技術】
【０００２】
トラック・バス等のディーゼルエンジンの排気ガス浄化装置として、排気ガス中の窒素酸化物（ＮＯｘ）を浄化するために尿素を還元剤に用いたＳＣＲ（Ｓｅｌｅｃｔｖｅ
Ｃａｔａｌｙｔｉｃ Ｒｅｄｕｃｔｉｏｎ）触媒を使用することが実用化されている。
ＳＣＲ触媒を用いた排気ガス浄化装置は、排気ガスが流通する排気管の途中に、酸素共存下でも選択的に排気ガス中の窒素酸化物（ＮＯｘ）を還元剤と反応させる性質を備えたＳＣＲを設け、排気ガス中のＮＯｘを選択的にＳＣＲ触媒に吸着させて清浄化するものである。
ＳＣＲ触媒上流側の排気通路中に尿素水を噴射し、該尿素水中の尿素を加水分解して還元剤であるアンモニア（ＮＨ３）を生成して、アンモニアをＳＣＲ触媒に供給し、前記ＳＣＲ触媒に吸着したＮＯｘを還元して窒素と水に分解して排出させることで、ＮＯｘの排出濃度を低減させるものである。
【０００３】
このようなＳＣＲ触媒を用いた排気ガス浄化装置を使用する車両においては、ＳＣＲ触媒上流側の排気通路中に量素水を噴射するため、尿素水を貯留する尿素水タンクを備えており、尿素水タンク内の尿素水がなくなると、専用設備を有したスタンド、販売店等で購入して供給する必要がある。
【０００４】
しかし、尿素水は、販売店舗も限られており、燃料のように容易に入手することはできない。したがって、ドライバーは尿素水がなくなるというリスクを少しでも低減するために、万一に備えて汎用の容器で尿素水数リットルを携行している場合も少なくない。そして、入手タイミングを逸した時には、予め補給用の容器に収納していた尿素水を尿素水タンク内に補給するようにして、排ガス浄化装置の機能を確保するようにしている場合もある。
【０００５】
一般的な携行可能な液体容器としては、次のような公知例が知られている。
図６は、特許文献１記載の容器の一例を示す図である。図６に示すように、ポリタンク容器５０の上部に把手５１を備え、側部５２に把手５３を備える。これにより、両手でポリタンク容器５０を持つことができるため、手が滑ることを防いでいる。
【０００６】
図７は、特許文献２記載の他の容器の例を示す図である。図７に示すように、ポリタンク容器６０の内部にノズル部材６１を収納し、蓋体６２が着脱可能に取り付けられることによって塞がれるノズル部材取出孔部６３が形成されており、ノズル部材６１は、ポリタンク容器６０内における収納位置と取出位置との間を移動可能としている。
【０００７】
図８は、特許文献３記載の他の容器の例を示す図である。図８に示すように、ポリタンク容器７０の中に凹部７１を具備することにより、ポンプを収納できる筒状体７２を形成している。
【先行技術文献】
【特許文献】
【０００８】
【特許文献１】実開昭６２−１９９１０号公報
【特許文献２】特開平７−２３７６４３号公報
【特許文献３】実用新案登録第３１００５６５号公報
【発明の概要】
【発明が解決しようとする課題】
【０００９】
しかしながら、特許文献１に記載の容器では、ノズルの収納部がないため、ノズルに付着した液体が外部に晒されて、付近にある物に接触して付着する恐れがある。このため、車内等に保管する場合には適さない。なお、収納液体が尿素の場合には、尿素は常温では無臭であるが、他の部分への付着を考慮すると適さないものである。
【００１０】
また特許文献２、３に記載の容器では、ノズルをタンク内に収納する収納部は備えているが、注入口と把持部が同一面にあり、さらに近接しているため、容器を傾けて容器内の液体を注入する際に、把持部を握った腕を大きく傾けるような無理な体勢を取らなければならず、特に残量が少ない時には底部に残った液体の注入が難しいという問題がある。
【００１１】
本発明は、このような問題を解決するためになされたものであり、車両の排気ガス浄化装置の還元剤補給容器であって、車室内等に設置可能で且つ携行可能で、さらに車両側の還元剤タンクへ操作容易に補給できる補給容器を提供することを目的とする。
【課題を解決するための手段】
【００１２】
前記目的を達成するために、本発明は、車両の排気ガス浄化装置に用いる液体の還元剤を収納し、携行できるようにした還元剤補給容器において、容器本体は略偏平直方体形状に形成され、前記還元剤の注入出口部と把持部とを備え、前記注入出口部と前記把持部とは、容器本体の相対向する一辺側と他辺側に設けられ、前記把持部は容器本体を貫通して形成された貫通孔によって容器本体の一辺側の略中央に長手方向に沿って形成され、前記注入出口部は容器本体の他辺側に該他辺側の長手方向に直交する端面に位置して形成されることを特徴とする。
【００１３】
このような注入出口部と把持部との位置関係を有することにより、把持部を略直角に傾けるだけで還元剤補給容器の底部に残った還元剤を把持部を握った腕を大きく傾けることのない楽な体勢で容易に外部へ簡単に注出することができる。
【００１４】
また、前記把持部は、内側が中空筒となって還元剤を収納する中空とは隔絶された中空を形成し、当該中空筒の略直線延長上の上面に開口部を備え、前記注入出口部に嵌合して前記還元剤を注出するためのノズルが前記開口部より前記中空筒に収納されることを特徴とする。
【００１５】
このように、還元剤補給容器内部にノズルの収納室を設けたので、ノズルの使用後は、速やかにノズルを収納室に収納することができる。これにより、ノズルの紛失を防止することができるとともに、還元剤の残液の飛散を防止することができる。
【００１６】
また、前記中空筒は、前記ノズルの基端部を受け止める受け部を備えたことを特徴とする。
【００１７】
このように、ノズルの収納室に基端部を受け止める受け部を備えたので、ノズルが収納室の底部に落下することなく、ノズルの収納位置が安定し、ノズルの取り出し、収納操作が容易化する。
【発明の効果】
【００１８】
本発明によれば、車両の排気ガス浄化装置の還元剤の補給容器であって、車室内等に設置可能で且つ携行可能で、さらに車両側の還元剤タンクへ操作容易に補給できる補給容器を得ることができる。
【図面の簡単な説明】
【００１９】
【図１】本発明の実施の形態に係る還元剤補給容器の外観斜視図である。
【図２】還元剤補給容器の断面図であり、還元剤の収納時を説明する図である。
【図３】還元剤補給容器の断面図であり、還元剤の補給時を説明する図である。
【図４】還元剤補給容器の使用状態を説明する図である。図４（ａ）は、ノズルをノズル収納室から取り出した状態を示す図である。図４（ｂ)は、ノズルを注入出口部にねじ込んだ状態を示す図である。図４（ｃ）は、還元剤補給容器を把持して液体を補給している状態を示す図である。
【図５】本実施形態にかかる還元剤補給容器を車室内に保管する例を説明する図である。
【図６】従来の容器の例を示す図である。
【図７】従来の他の容器の例を示す図である。
【図８】従来の他の容器の例を示す図である。
【発明を実施するための形態】
【００２０】
以下、図面を参照して本発明の実施の形態を詳しく説明する。但し、この実施の形態に記載されている構成部品の寸法、材質、形状、その相対的な配置等は特に特定的な記載がない限りは、この発明の範囲をそれに限定する趣旨ではなく、単なる説明例に過ぎない。
【００２１】
図１は、本実施の形態に係る還元剤補給容器の外観斜視図である。なお、還元剤として尿素水を用いた例を説明する。
図１に示すように、尿素水補給容器（還元剤補給容器）１は略偏平直方体であり、その上面２には液体の注入出口部２４（図２、３参照）を塞ぐ蓋体３、後述するノズル８を出し入れするノズル収納開口部２５（図２、３参照）を塞ぐ蓋体４、及び、側面５に形成された把持部６を有している。
【００２２】
また、図１に示すように、尿素水の注入出口部２４（図２、３参照）を塞ぐ蓋体３は、尿素水補給容器１の容器本体１０の上面２において、片側に片寄った位置に形成され、把持部６は、蓋体３が形成された上面２の位置とは反対側につながる側面５の略中央に形成される。また、この把持部６は、容器本体１０の最大面積面７を貫通する貫通孔９を設けることによって形成される。
【００２３】
すなわち、注入出口部２４と把持部６とは、容器本体１０の相対向する一辺側Ａと他辺側Ｂに設けられ、把持部６は容器本体１０を貫通して形成された貫通孔９によって容器本体１０の一辺側Ａの略中央に長手方向に沿って形成される。
また、注入出口部２４は容器本体１０の他辺側Ｂに、他辺側の長手方向に直交する端面（上面）２に位置して形成されている。
【００２４】
このような注入出口部２４と把持部６との位置関係を有することにより、把持部６を、把持して容器本体１０を略直角に傾けるだけで尿素水補給容器１の底部に残った尿素水を把持部６を握った腕を大きく傾けることのない楽な体勢で容易に外部へ注出することができる。
なお、図１に示すように、上面２及び上面２に対向する底面１１における長手方向両端部分の形状を、尿素水補給容器１の外方向に対して凸部を有する半円形または半楕円形にしてもよい。このように凸部を有する半円形または半楕円形状にすることによって、直方体形状の角部がなくなり、尿素水補給容器１を室内等に保管しても、周囲の部品を傷つけることなく保管が可能となる。
【００２５】
図２は、尿素水補給容器の断面図であり、尿素水の収納時を説明する図である。
尿素水補給容器１の内部は、尿素水を収納する液体収納室２１とノズル８を収納するノズル収納室２２とを有し、隔壁２３で各々の部屋は隔絶されている。
ノズル収納室２２は把持部６の内側に中空筒として形成されている。ノズル収納室２２の略直線延長上の上面２にはノズル８を出し入れするためのノズル収納開口部２５が形成されている。
【００２６】
ノズル８を使用しないときは、ノズル８はノズル収納室２２に収納される。したがって、ノズル８をノズル収納室２２に収納しているときは、ノズル８が尿素水にさらされることはない。さらに、ノズル８を使用後速やかにノズル収納室２２に収納することができるため、ノズル８の紛失を防止することができるとともに、ノズル８に付着した尿素水の残液の飛散を防止することができる。
【００２７】
液体収納室２１の開口部である注入出口部２４には、注入出口部２４を取り囲むように上面２に扁平の円筒２６が取り付けられており、円筒２６の外周部にはおねじが形成されている。そして、蓋体３の内側にはめねじが形成されており、蓋体３を円筒２６にねじ込むことにより、注入出口部２４から尿素水が漏れることを防いでいる。
【００２８】
ノズル８は、その基端部８１から注出口がある先端部にかけて徐々に径が細くなる略円錐形状で（図３参照）、屈曲しやすいように蛇腹形状にしてある。基端部８１は扁平な円筒であり、円筒の内側には蓋体３の内側のめねじと同じ径のめねじが形成されている。
【００２９】
ノズル収納室２２にはノズル８が内部に落ち込むのを防止するために基端部８１を受け止める受け部２８が形成されている。ノズル８をノズル収納室２２へ収納するときは、図２に示すように、ノズル８の先端部の注出口を下にし、受け部２８で基端部８１を受け止めるようにして収納する。
【００３０】
このように、ノズル収納室２２に基端部８１を受け止める受け部２８を備えたので、ノズル８が収納室の底部に落下することなく、ノズル８を安定的に収納することでき、さらに容易に取り出すことができる。
【００３１】
また、ノズル収納開口部２５には、注入出口部２４と同様に扁平の円筒２７が、上面２のノズル収納開口部２５を取り囲むように取り付けられており、円筒２７の外周部にはおねじが形成されている。そして、蓋体４の内側にはめねじが形成されており、蓋体３を円筒８にねじ込む。ノズル８を使用しないときには、ノズル８をノズル収納室２２へ収納して蓋体４で蓋をしておく。
【００３２】
図３は、尿素水補給容器１の断面図であり、尿素水の補給時を説明する図である。尿素水をトラック等の尿素水タンクに補給するときには、蓋体３を取り外し、ノズル８の基端部８１を円筒２６にねじ込んで使用する。蓋体３はノズル収納室２２に収納する。このために、円筒２７の高さを蓋体３の高さよりも高くしておく必要がある。ここで、蓋体３の径は、ノズル８の基端部８１の径と略同じであるので、受け部２８で蓋体３を保持しておくことが可能になる。そして、蓋体４を円筒２７にねじ込む。これにより、尿素水の補給時に蓋体３を紛失することを防止することができる。
【００３３】
図４は、尿素水補給容器１の使用を説明する図である。
図４（ａ）は、ノズル８をノズル収容室２２から取り出した状態を示す図である。蓋体４を取り外し、ノズル８を取り出している。
図４（ｂ）は、ノズル８を円筒２６にねじ込んだ状態を示す図である。このとき、蓋体３は、ノズル収納室２２の中に収納されている。
図４（ｃ）は、尿素水補給容器１を把持して尿素水を補給している状態を示す図である。図４（ｃ）に示すように、貫通孔９を通って把持部６を握ることで、尿素水補給容器１を持ち上げる。そして、尿素水補給容器１を略直角に傾斜させるだけで、容易に尿素水等の液体を尿素水補給容器１の底部に残留させることなく補給することができる。
【００３４】
図５は、尿素水補給容器１を車室内に保管して携行する例を説明する図である。図５に示すように、車両のシート３１のシート背面部３２には、尿素水補給容器１を保持するための帯状のストラップを取り付けた帯状保持部材３３が備えられている。
このように、帯状保持部材３３を尿素水補給容器１の貫通孔９を通して把持部６に架けることにより、容易に車室内に携行することができ、ドライバーは尿素水がなくなるというリスクを低減でき、入手タイミングを逸した場合においても、尿素水補給容器１の容器に収納していた尿素水を車両の尿素水タンク内に補給することで、排ガス浄化装置の機能を確保できる。
なお、保管例は、一例であり、その他、ドア内側空間等のスペースを利用しての保管であってもよく、さらに、車室外の収納スペースを利用してもよいことは勿論である。
【産業上の利用可能性】
【００３５】
本発明によれば、注入出口部と把持部との位置関係を、すなわち、注入出口部と把持部とを容器本体の相対向する一辺側と他辺側に設け、把持部は容器本体を貫通して形成された貫通孔によって容器本体の一辺側の略中央に長手方向に沿って形成し、注入出口部は容器本体の他辺側に他辺側の長手方向に直交する端面（上面）に位置して形成される関係を有することにより、把持部を略直角に傾けるだけで還元剤補給容器の底部に残った還元剤を把持部を握った腕を大きく傾けることのない楽な体勢で容易に外部へ簡単に注出することができるので、携行用の容器への利用に適している。
【符号の説明】
【００３６】
１  尿素水補給容器
２  上面
３、４  蓋体
５  側面
６  把持部
７  最大面積面
８  ノズル
９  貫通孔
２１  液体収納室
２２  ノズル収納室
２３  隔壁
２４  注出入口部
２５  ノズル収納開口部
１３２  装置通信個別部
２６、２７  円筒
２８  受け部
３１  シート
３２  シート背面部
３３  帯状保持部材
８１  基端部
【図１】
2012111495.tif 000003
【図２】
2012111495.tif 000004
【図３】
2012111495.tif 000005
【図４】
2012111495.tif 000006
【図５】
2012111495.tif 000007
【図６】
2012111495.tif 000008
【図７】
2012111495.tif 000009
【図８】
2012111495.tif 000010